(57)【要約】【課題】所望の方向に効率よく光を照射することができる照明ユニットを提供する。【解決手段】照明ユニット１は、基板２０の上に複数個配置されたＬＥＤ光源４０と、ＬＥＤ光源４０が取り付けられる取付本体１０と、ＬＥＤ光源４０に対して取付本体１０と反対側に、ＬＥＤ光源４０を覆うように配置される光学部材３０と、を備え、光学部材３０は、ＬＥＤ光源４０から出射された光の進行方向を、ＬＥＤ光源４０からの出射方向よりも光軸寄りの第１の方向に配光する第１の領域と、ＬＥＤ光源４０から出射された光の進行方向を、第１の方向よりも光軸寄りの第２の方向に配光する第２の領域とを有する。【選択図】図３
2015109242.tif 000002
【特許請求の範囲】
【請求項１】
光源と、
前記光源が取り付けられる取付本体と、
前記光源に対して前記取付本体と反対側に、前記光源を覆うように配置される光学部材と、を備え、
前記光学部材は、
前記光源から出射された光の進行方向を、前記光源からの出射方向よりも光軸寄りの第１の方向に配光する第１の領域と、
前記光源から出射された光の進行方向を、前記第１の方向よりも光軸寄りの第２の方向に配光する第２の領域とを有する
照明ユニット。
【請求項２】
前記第２の方向と前記光軸の方向との間の角度は、前記第１の方向と前記光軸の方向との間の角度よりも大きい
請求項１に記載の照明ユニット。
【請求項３】
前記第１の方向は、前記光軸と平行な方向である
請求項１または２に記載の照明ユニット。
【請求項４】
前記光学部材は、前記光源から出射された光を、第１の面で屈折し、続けて第２の面で反射する第１のプリズムを有する
請求項１〜３のいずれか１項に記載の照明ユニット。
【請求項５】
前記光学部材は、前記光源から出射された光を、第３の面で屈折、または、第４の面で反射する第２のプリズムを有する
請求項１〜４のいずれか１項に記載の照明ユニット。
【請求項６】
前記取付本体は、前記光源から出射された光を前記光学部材に向けて反射する第１の反射板を有する
請求項１〜５のいずれか１項に記載の照明ユニット。
【請求項７】
前記第１の反射板の反射面は、放物線状の曲面を有する
請求項６に記載の照明ユニット。
【請求項８】
前記光学部材は、前記光源から出射された光の進行方向を、前記光軸に垂直な第３の方向に配光する第３の領域を有する
請求項１〜７のいずれか１項に記載の照明ユニット。
【請求項９】
前記取付本体は、前記光源から出射した光のうち光軸に垂直な方向の光を前記光学部材の方向に反射する第２の反射板を備える
請求項１〜８のいずれか１項に記載の照明ユニット。
【請求項１０】
前記光学部材は、光の出射面側に、前記光学部材から出射する光を拡散するための光拡散カバーを有する
請求項１〜９のいずれか１項に記載の照明ユニット。
【請求項１１】
前記光学部材は、前記光学部材から出射する光を拡散するための光拡散剤を含む
請求項１〜９のいずれか１項に記載の照明ユニット。
【発明の詳細な説明】
【技術分野】
【０００１】
本発明は、照明ユニットに関し、特に、ＬＥＤから出る光を所定の方向に照射する照明ユニットに関する。
【背景技術】
【０００２】
従来、反射板を利用して光を所定の方向へ出射する照明器具や、ＬＥＤランプまたは照明器具の表面全体をカバーで覆い、これを傾けたり位置を調整したりすることによって光の照射方向の制御やグレアの抑制を行う照明器具がある（例えば、特許文献１参照）。
【０００３】
特許文献１に開示されている照明器具は、光学シートを備え、これにより、光の照射方向を制御したり、グレアの抑制を行ったりしている。
【先行技術文献】
【特許文献】
【０００４】
【特許文献１】特開２００９−１６３９２５号公報
【発明の概要】
【発明が解決しようとする課題】
【０００５】
従来構造の反射板を利用した照明器具で光の照射方向を制御しようとすると、所望の方向に光が強く照射されるようにＬＥＤの配置位置や大きさを決定する必要があるため、照明器具を薄型化することが難しくなるという課題があった。
【０００６】
また、光源をカバーで覆うような全般配光の照明器具を使用する場合、所望の方向以外にも光が拡散するため、効率よく所望の方向を照らすことが難しいという課題があった。さらに、グレアを抑制することが難しいといった問題や、遮光板を取付けると光がロスするという問題も生じていた。
【０００７】
上記課題に鑑み、本発明は、所望の方向に効率よく光を照射することができる照明ユニットを提供することを目的とする。
【課題を解決するための手段】
【０００８】
上記目的を達成するために、本発明に係る照明ユニットの一態様は、光源と、前記光源が取り付けられる取付本体と、前記光源に対して前記取付本体と反対側に、前記光源を覆うように配置される光学部材と、を備え、前記光学部材は、前記光源から出射された光の進行方向を、前記光源からの出射方向よりも光軸寄りの第１の方向に配光する第１の領域と、前記光源から出射された光の進行方向を、前記第１の方向よりも光軸寄りの第２の方向に配光する第２の領域とを有する。
【０００９】
また、本発明に係る照明ユニットの一態様において、前記第２の方向と前記光軸の方向との間の角度は、前記第１の方向と前記光軸の方向との間の角度よりも大きいとしてもよい。
【００１０】
また、本発明に係る照明ユニットの一態様において、前記第１の方向は、前記光軸と平行な方向であるとしてもよい。
【００１１】
また、本発明に係る照明ユニットの一態様において、前記光学部材は、前記光源から出射された光を、第１の面で屈折し、続けて第２の面で反射する第１のプリズムを有するとしてもよい。
【００１２】
また、本発明に係る照明ユニットの一態様において、前記光学部材は、前記光源から出射された光を、第３の面で屈折、または、第４の面で反射する第２のプリズムを有するとしてもよい。
【００１３】
また、本発明に係る照明ユニットの一態様において、前記取付本体は、前記光源から出射された光を前記光学部材に向けて反射する第１の反射板を有するとしてもよい。
【００１４】
また、本発明に係る照明ユニットの一態様において、前記第１の反射板の反射面は、放物線状の曲面を有するとしてもよい。
【００１５】
また、本発明に係る照明ユニットの一態様において、前記光学部材は、前記光源から出射された光の進行方向を、前記光軸に垂直な第３の方向に配光する第３の領域を有するとしてもよい。
【００１６】
また、本発明に係る照明ユニットの一態様において、前記取付本体は、前記光源から出射した光のうち光軸に垂直な方向の光を前記光学部材の方向に反射する第２の反射板を備えるとしてもよい。
【００１７】
また、本発明に係る照明ユニットの一態様において、前記光学部材は、光の出射面側に、前記光学部材から出射する光を拡散するための光拡散カバーを有するとしてもよい。
【００１８】
また、本発明に係る照明ユニットの一態様において、前記光学部材は、前記光学部材から出射する光を拡散するための光拡散剤を含むとしてもよい。
【発明の効果】
【００１９】
本発明によれば、所望の方向に効率よく光を照射することができる照明ユニットを提供することができる。
【図面の簡単な説明】
【００２０】
【図１】本発明の実施の形態１に係る照明ユニットの分解斜視図
【図２】本発明の実施の形態１に係る照明ユニットの長尺方向と直交する平面で切断した場合の断面図
【図３】第１領域と第２領域の境界を説明する図
【図４Ａ】第１のプリズムの形状の決定方法を説明する図
【図４Ｂ】第２のプリズムの形状の決定方法を説明する図
【図５】第１の領域に入射した光の光路を示す図
【図６】第２の領域に入射した光の光路を示す図
【図７】第２の領域に入射した光の光路を示す図
【図８】本発明の実施の形態１に係る照明ユニットにおける配光曲線を示す図
【図９Ａ】本発明の実施の形態１に係る照明ユニットの取付例を示す概略斜視図
【図９Ｂ】本発明の実施の形態１に係る照明ユニットの取付例を示す概略断面図
【図１０】本発明の実施の形態１に係る照明ユニットの他の取付例を示す概略断面図
【図１１Ａ】本発明の実施の形態１の変形例に係る照明ユニットの長尺方向と直交する平面で切断した場合の断面図
【図１１Ｂ】本発明の実施の形態１の変形例に係る照明ユニットにおける光路を示す断面図
【図１１Ｃ】本発明の実施の形態１の変形例に係る照明ユニットにおける光路を示す断面図
【図１１Ｄ】本発明の実施の形態１の変形例に係る照明ユニットにおける光路を示す断面図
【図１１Ｅ】本発明の実施の形態１の変形例に係る照明ユニットにおける光路を示す断面図
【図１２】本発明の実施の形態２に係る照明ユニットの長尺方向と直交する平面で切断した場合の断面図
【図１３】本発明の実施の形態２に係る照明ユニットの長尺方向と直交する平面で切断した場合の断面図
【図１４】本発明の実施の形態２に係る照明ユニットの取付例を示す図
【図１５】本発明の実施の形態３に係る照明ユニットの長尺方向と直交する平面で切断した場合の断面図
【図１６】本発明の実施の形態４に係る照明ユニットの長尺方向と直交する平面で切断した場合の断面図
【図１７】本発明の実施の形態４に係る照明ユニットの長尺方向と直交する平面で切断した場合の断面図
【図１８Ａ】拡散処理を行っていない照明ユニットによる照明光を示す図
【図１８Ｂ】図１６に示した拡散処理を行った照明ユニットによる照明光を示す図
【発明を実施するための形態】
【００２１】
以下、本発明の実施の形態について、図面を参照しながら説明する。なお、以下に説明する実施の形態は、いずれも本発明の好ましい一具体例を示すものである。したがって、以下の実施の形態で示される数値、形状、材料、構成要素、構成要素の配置位置及び接続形態、工程、工程の順序などは、一例であって本発明を限定する主旨ではない。よって、以下の実施の形態における構成要素のうち、本発明の最上位概念を示す独立請求項に記載されていない構成要素については、任意の構成要素として説明される。
【００２２】
なお、各図は、模式図であり、必ずしも厳密に図示されたものではない。また、各図において、実質的に同一の構成に対しては同一の符号を付しており、重複する説明は省略又は簡略化する。
【００２３】
（実施の形態１）
まず、本発明の実施の形態１に係る照明ユニットについて、図１および図２を用いて説明する。図１は、本発明の実施の形態１に係る照明ユニットの分解斜視図である。図２は、本発明の実施の形態１に係る照明ユニットの長尺方向と直交する平面で切断した場合の断面図である。
【００２４】
図１に示すように、本実施の形態に係る照明ユニット１は、取付本体１０と、基板２０と、光学部材３０と、基板２０上に配置されたＬＥＤ光源４０とを備えている。
【００２５】
取付本体１０は、取付部１０ａと第１の反射板１０ｂとで構成されている。取付本体１０は、例えばアルミニウム等の金属を材料として、押し出し方法により取付部１０ａと第１の反射板１０ｂとが一体に形成されている。取付本体１０は、取付部１０ａを壁面または天井等に取り付けたときの平面視における形状が、長辺３０ｃｍ、短辺１０ｃｍの略長方形の形状を有している。すなわち、取付部１０ａの形状は略長方形の形状を有している。また、取付部１０ａの一の長辺側には、取付部１０ａが取り付けられた壁面または天井等から突出する方向に、第１の反射板１０ｂが設けられている。
【００２６】
第１の反射板１０ｂは、ＬＥＤ光源４０から出射した光を光学部材３０の方向に反射する。これにより、ＬＥＤ光源４０から出射した光を効率よく光学部材３０に入射することができる。
【００２７】
第１の反射板１０ｂにおいて、光を反射する反射面は、例えば、放物線状の曲面を有している。なお、第１の反射板１０ｂの当該反射面は、放物線状の曲面に限らず、他の曲面の形状や平面状であってもよい。
【００２８】
また、取付本体１０は、取付部１０ａの第１の反射板１０ｂが配置された長辺と反対側の長辺の端部と第１の反射板１０ｂの端部とに、光学部材３０をスライドして挿入することができる２本の溝を有している。
【００２９】
基板２０は、例えば樹脂基板で構成され、略長方形の形状を有している。基板２０は、取付本体１０の取付部１０ａにおいて、基板２０の一の長辺が、取付本体１０の第１の反射板１０ｂが設けられた側の長辺に沿って取付部１０ａに接合されている。
【００３０】
基板２０の上には、ライン状に光を発するライン状光源であって、基板２０の長辺の方向に沿って基板２０上に複数配列された複数のＬＥＤ光源４０と、ＬＥＤ光源４０を発光させるために必要な電力を供給するための回路等（図示せず）とが配置されている。複数のＬＥＤ光源４０は、ＳＭＤ型の発光素子であり、基板２０の上に等間隔に設けられている。なお、基板２０と、基板２０の上に配置された複数のＬＥＤ光源４０と、ＬＥＤ光源を発光させるために必要な電力を供給するための回路等を併せて、本発明に係る光源とする。また、ＬＥＤ光源４０は、接着剤等によって基板２０の主面に固着されている。
【００３１】
本実施の形態では、複数のＬＥＤ光源４０は、基板２０の上に等間隔に設けられているが、これに限らず、ＬＥＤ光源は、基板２０の表面全体にわたって形成された面光源であってもよい。また、光源は、ＬＥＤチップに蛍光体を塗布したＣＯＢ型の光源であってもよい。
【００３２】
光学部材３０は、例えばアクリル等の光透過性樹脂で構成され、基板２０およびＬＥＤ光源４０を覆うように取付本体１０に取り付けられている。光学部材３０のＬＥＤ光源４０と対向して配置される面には、第１のプリズム５０ａと、第２のプリズム５０ｂと、第３のプリズム６０とが形成されている。第１のプリズム５０ａと第２のプリズム５０ｂとは、第１の反射板１０ｂ側に取り付けられた光学部材３０の一の長辺とＬＥＤ光源４０から出射される光の光軸との間の領域に配置されている。
【００３３】
なお、光学部材３０は、アクリル等の光透過性樹脂に限らずガラスで構成されていてもよい。
【００３４】
また、図２に示すように、光学部材３０は、ＬＥＤ光源４０から出射された光の進行方向を、ＬＥＤ光源４０からの出射方向よりも光軸寄りの第１の方向に配光する第１の領域と、ＬＥＤ光源４０から出射された光の進行方向を、第１の方向よりも光軸寄りの第２の方向に配光する第２の領域とを備えている。これにより、ＬＥＤ光源４０から出力された光を、所望の方向に効率よく照射することができる。
【００３５】
図３は、第１領域と第２領域の境界を説明する図である。光学部材３０において、ＬＥＤ光源４０から出射された光を第１の方向に配光される領域を第１領域、第２の方向に配光される領域を第２の領域という。光学部材３０において、ＬＥＤ光源４０から出射された光が第１の方向に配光されるか第２の方向に配光されるかの境界が、第１の領域と第２の領域の境界となる。
【００３６】
第２の方向と光軸の方向の間の角度は、第１の方向と光軸の方向との間の角度よりも大きくなる。これにより、第２の方向の光は第１の方向の光と異なる方向に配光される。したがって、光学部材３０は、光軸に対して第１領域および第２領域と反対側の方向に、効率よく光を照射することができる。
【００３７】
また、図３に示すように、第１の方向とは、例えば、光軸と平行な方向である。また、第２の方向とは、光軸と平行な方向よりも光軸に近づく方向である。これにより、ＬＥＤ光源４０の下部と、光軸に対して第１領域および第２領域と反対側の方向に、効率よく光を照射することができる。また、ＬＥＤ光源４０から出射された光を所望の方向に反射する反射板を設ける必要がないため、照明ユニットの薄型化も可能となる。
【００３８】
第１領域に配置されたプリズムの形状によって、ＬＥＤ光源４０から出射された光を光軸と平行方向に配光することができる。これにより、ＬＥＤ光源４０の直下に照らす光の光量を増加することができる。また、ＬＥＤ光源４０の直下での照度および光度を確保でき、ＬＥＤ光源４０から第１の反射板１０ｂが設けられた方向に出射される光の光量を減少することが可能となる。
【００３９】
また、第２の領域に配置されたプリズムの形状によって、ＬＥＤ光源４０から出射された光を光軸と平行な方向よりも光軸に近づく方向に配光することができる。これにより、第１の反射板１０ｂが設けられた方向と反対方向に出射される光の光量を増加することができる。また、ＬＥＤ光源４０の直下に照らす光の光量を減少することができる。
【００４０】
ここで、第１のプリズム５０ａおよび第２のプリズム５０ｂの形状について説明する。図４Ａは、第１のプリズム５０ａの形状の決定方法を説明する図である。図４Ｂは、第２のプリズム５０ｂの形状の決定方法を説明する図である。
【００４１】
図４Ａに示すように、第１のプリズム５０ａでは、Ａ面に入射した光は、当該Ａ面において屈折されＢ面で反射されて光学部材３０の出射面から出射される。なお、光学部材３０の出射面においても、当該出射面に入射されたＢ面からの反射光は、屈折されることがある。
【００４２】
このように、入射した光がＡ面で屈折され、Ｂ面で反射されるための条件は、Ａ面への光の入射角度θ２がθ２＜４７°となる場合である。θ２≧４７°となる場合には、Ａ面で反射される光が多くなるため、第１のプリズム５０ａの条件は満たさない。このような第１のプリズム５０ａの形状は、ＬＥＤ光源４０から遠い位置に配置されるプリズムの形状として好ましい。なお、第１のプリズム５０ａのＡ面およびＢ面の角度を調整することにより、配光角を制御することができる。
【００４３】
また、図４Ｂに示すように、第２のプリズム５０ｂでは、Ｂ面に入射した光は、当該Ｂ面で屈折され、さらに、光学部材３０の出射面において屈折される。ここで、ＬＥＤ光源４０から遠い位置に配置されたプリズムの場合、このような形状にするとＢ面に入射する光の入射角度θ２は大きくなるので、Ｂ面で反射する成分が多くなる。したがって、このような第２のプリズム５０ｂの形状は、入射角度θ２が小さくなるようにＬＥＤ光源４０から近い位置に配置されるプリズムの形状として好ましい。
【００４４】
また、第２のプリズム５０ｂにおいて、Ａ面に入射した光は、Ａ面で反射されて光学部材３０に入射され、さらに光学部材３０の出射面から出射される。
【００４５】
第２のプリズム５０ｂのＡ面およびＢ面の角度を調整することにより、配光角を制御することができる。
【００４６】
次に、第１のプリズム５０ａおよび第２のプリズム５０ｂと、第１の領域および第２の領域との関係について説明する。
【００４７】
図５は、第１の領域に入射した光の光路を示す図である。図６および図７は、第２の領域に入射した光の光路を示す図である。
【００４８】
図５に示すプリズムは、第１のプリズム５０ａである。第１のプリズム５０ａに入射した光は、Ａ面で屈折され、さらにＢ面で光軸とほぼ平行な方向に反射されて、光学部材３０の出射面から出射される。このとき、図５に示すように、光学部材３０から出射された光の進行方向は光軸とほぼ平行な方向となるので、当該プリズムは第１の領域に形成されたプリズムである。
【００４９】
図６に示すプリズムは、第１のプリズム５０ａである。第１のプリズム５０ａに入射した光は、Ａ面で屈折され、さらにＢ面で反射されて、光学部材３０の出射面で屈折される。このとき、図６に示すように、光学部材３０から出射された光の進行方向は光軸と平行な方向よりも光軸に近づく方向となるので、当該プリズムは第２の領域に形成されたプリズムである。
【００５０】
図７に示すプリズムは、第２のプリズム５０ｂである。第２のプリズム５０ｂのＢ面に入射した光は、Ｂ面で屈折され、さらに光学部材３０の出射面で屈折される。このとき、図７に示すように、光学部材３０から出射された光の進行方向は光軸と平行な方向よりも光軸に近づく方向となるので、当該プリズムは第２の領域に形成されたプリズムである。
【００５１】
また、図７に示す第２のプリズム５０ｂにおいて、第２のプリズム５０ｂのＡ面に入射した光は、Ａ面で反射され、光学部材３０で屈折され、さらに光学部材３０の出射面で屈折される。このとき、図７に示すように、光学部材３０から出射された光の進行方向は光軸と平行な方向よりも光軸に近づく方向に屈折された光となるので、当該プリズムは第２の領域に形成されたプリズムである。
【００５２】
図８は、本実施の形態に係る照明ユニット１における配光曲線を示す図である。図８において、横軸中央の０°は光軸の位置を示している。また、縦軸は、光度を示している。また、図８において、実線で示す曲線は、本実施の形態に係る照明ユニット１による配光であり、破線で示す曲線は、配光制御をしていない照明ユニットによる配光を示している。
【００５３】
図８における実線に示すように、照明ユニット１による光は、いわゆるＤ形状の配光である。すなわち、照明ユニット１による光は、ＬＥＤ光源４０の下方から第１の反射板１０ｂが設けられていない側へと配光し、ＬＥＤ光源４０の直下の光度が高く、ＬＥＤ光源４０の直下から図８における右側に遠ざかるにつれて徐々に光度が低下し、ＬＥＤ光源４０の直下から左側に遠ざかると急激に光度が低下する。なお、図８に示す破線の領域は、配光制御していない照明ユニットの配光曲線の一例であり、均一に光が照射されていることが分かる。
【００５４】
第１領域と第２領域の境界は直下方向に光を多く照射したい場合には、第１領域を増やすと直下の照度および光度はより高く制御することが可能である。逆に、ＬＥＤ光源４０の下方から第１の反射板１０ｂが設けられていない側へ多く光を照射したい場合には、第２領域を増やすこととなる。
【００５５】
例えば、図８に示すような均一なＤ配光を実現する為の最適条件としては、基板２０の第１の反射板１０ｂ側の端部から光軸までの距離を１５ｍｍ、ＬＥＤ光源４０の表面から光学部材３０の出射面までの距離を１５ｍｍとしたときに、θ１が２０°〜３０°以下の範囲となるように、第１領域および第２領域の境界を決定することが望ましい。
【００５６】
なお、本実施の形態では、光学部材３０は、第１のプリズム５０ａを４つ、第２のプリズム５０ｂを１つ備えた構成としたが、第１のプリズム５０ａおよび第２のプリズム５０ｂの数はその他の数であってもよく、複数であっても単数であってもよい。
【００５７】
また、複数の第１プリズム５０ａの全てを同一の形状としてもよいし、それぞれ異なる形状としてもよい。第２プリズム５０ｂについても同様である。
【００５８】
また、第１のプリズム５０ａ及び第２のプリズム５０ｂの頂点は、先端が尖っていることが好ましい。第１のプリズム５０ａ及び第２のプリズム５０ｂの頂点を丸く形成しなければならない場合であっても、当該頂点の曲率半径Ｒを可能な限り小さくすることが好ましい。
【００５９】
また、第１のプリズム５０ａおよび第２のプリズム５０ｂ以外に、第３のプリズム６０を備えてもよい。これにより、所望の方向により効率よく配光することができる。
【００６０】
図９Ａは、照明ユニット１の取り付け例を示す概略斜視図である。図９Ｂおよび図１０は、照明ユニット１の取り付け例を示す概略断面図である。
【００６１】
図９Ａおよび図９Ｂに示すように、照明ユニット１は、棚１００の最上部に１つ取り付けてもよい。このように配置することで、照明ユニット１を最上部に取り付けることで、各棚の奥部まで照明することができる。
【００６２】
また、図１０に示すように、照明ユニット１は、複数の棚のそれぞれに取り付けてもよい。この場合照明ユニット１は、各棚の最前部に取り付けるのが好ましい。これにより、各棚の前部から奥部まで均一に証明することができる。なお、最上部の照明には、配光制御されていない照明を取り付けてもよい。
【００６３】
以上、本実施の形態に係る照明ユニットによれば、ＬＥＤ光源４０から出射された光の進行方向を、ＬＥＤ光源４０からの出射方向よりも光軸寄りの第１の方向と、第１の方向よりも光軸寄りの第２の方向に配光することができるので、所望の方向に効率よく光を照射することができる。
【００６４】
また、本実施の形態に係る照明ユニット１によれば、反射板を設ける必要がなく従来の照明ユニットよりも薄型化することができるので、例えば、複数の棚のそれぞれに照明ユニットを取り付けたい場合に、複数の棚の間隔が狭い場合であっても各棚の下に取り付けることができる。それにより、棚等の狭いスペースであっても、効率的に均一に全体を光を照らす事が可能となる。また、照明ユニット１によると、グレアも抑制することができ遮光板などの取り付けが不要となる為、光のロスも減り、効率よく光を照射することができる。
【００６５】
（実施の形態１の変形例）
次に、実施の形態１の変形例について図１１Ａ〜図１１Ｅを参照して説明する。図１１Ａは、本実施の形態の変形例に係る照明ユニットの長尺方向と直交する平面で切断した場合の断面図である。図１１Ｂ〜図１１Ｅは、本発明の実施の形態１の変形例に係る照明ユニットにおける光路を示す断面図である。
【００６６】
本変形例に係る照明ユニットは、図１１Ａに示すように、第１の反射板１０ｂを備えている。第１の反射板１０ｂの反射面は、平面形状であってもよいし、曲面形状であってもよい。また、第１の反射板１０ｂの反射面が曲面形状の場合には、どのような曲面形状であってもよい。以下に、第１の反射板の反射面の形状の例を示す。
【００６７】
図１１Ａに示す反射板１０ｂの反射面は、図１１Ｂに示すように放物線状の曲面を有している。第１の反射板１０ｂが放物線状の曲面を有することにより、ＬＥＤ光源４０から照射され第１の反射板１０ｂで反射された光は、図１１Ｂに示すように、効率よく光学部材３０に入射する。したがって、光学部材３０から出射される光は、照明ユニット１の下側および第１の反射板１０ｂが設けられていない側に照射されることになる。よって、このような構成の照明ユニット１によると、所望の方向に効率よく照射することができる。
【００６８】
また、図１１Ｃに示す反射板１０ｃの反射面は、平面状を有している。この場合、第１の反射板１０ｃで反射された光は光学部材３０に入射し、光学部材３０に入射した光は、光学部材３０に設けられた第１のプリズム５０ａおよび第２のプリズム５０ｂにより屈折または反射され、光学部材３０から出射される。ここで、図１１Ｃに示すように、光学部材３０から出射される光には、第１の反射板１０ｃ側に出射されるものが生ずる。この方向に照射される光は所望の光ではなく、制御しにくい方向の光である。
【００６９】
また、図１１Ｄに示す第１の反射板１０ｄの反射面は、曲率半径が２０ｍｍの曲面状を有している。この場合、第１の反射板１０ｄで反射された光は光学部材３０に入射し、光学部材３０に入射した光は、光学部材３０に設けられた第１のプリズム５０ａおよび第２のプリズム５０ｂにより屈折または反射され、光学部材３０から出力される。ここで、図１１Ｄに示すように、光学部材３０から出射される光には、第１の反射板１０ｄ側に出射されるものが生ずる。この方向に照射される光は所望の光ではなく、制御しにくい方向の光である。
【００７０】
また、図１１Ｅに示す第１の反射板１０ｅの反射面は、曲率半径が４０ｍｍの曲面状を有している。この場合、第１の反射板１０ｅで反射された光は光学部材３０に入射し、光学部材３０に入射した光は、光学部材３０に設けられた第１のプリズム５０ａおよび第２のプリズム５０ｂにより屈折または反射され、光学部材３０から出力される。ここで、図１１Ｄに示すように、光学部材３０から出射される光には、第１の反射板１０ｅ側の光学部材３０で反射されるものが生ずる。この反射光は所望の光ではなく、制御しにくい光である。
【００７１】
以上より、第１の反射板の反射面の形状は、放物線状の曲面であることが望ましい。
【００７２】
（実施の形態２）
次に、本発明の実施の形態２に係る照明ユニットについて、図１２〜図１４を用いて説明する。図１２及び図１３は、本実施の形態に係る照明ユニットの長尺方向と直交する平面で切断した場合の断面図である。図１４は、本実施の形態に係る照明ユニットの取付例を示す図である。
【００７３】
図１２に示す照明ユニット２が実施の形態１に係る照明ユニット１と異なる点は、光学部材３０が第１の領域および第２の領域に加えて、第３の領域を備える点である。
【００７４】
第３の領域７０では、ＬＥＤ光源４０から出射された光は、光学部材３０の表面で屈折または反射し、光軸に垂直な第３の方向に配光される。これにより、光学部材３０は、第１の反射板１０ｂが設けられていない側へ広範囲に光を出射することができる。
【００７５】
図１２に示す第３の領域７０は、さらに、複数の第４のプリズム７０ａで構成される領域と、複数の第５のプリズム７０ｂで構成される領域とを有している。第４のプリズム７０ａは、第１のプリズム５０ａと同様、入射した光を屈折する。第５のプリズム７０ｂは、第２のプリズム５０ｂと同様、入射した光を反射する。これにより、光学部材３０から出射される光は、図１２において右方向、すなわち、第１の反射板１０ｂが設けられていない側へ広範囲に光を出射する。
【００７６】
なお、第４の領域は、前述のように複数の第４のプリズム７０ａで構成される領域と、複数の第５のプリズム７０ｂで構成される領域に限られない。第４のプリズム７０ａと第５のプリズム７０ｂとが同一の形状であってもよいし、異なる形状であってもよい。
【００７７】
また、図１３に示す照明ユニット３が実施の形態１に係る照明ユニット１と異なる点は、第３の領域が、さらに、第４の領域および第５の領域を備える点である。
【００７８】
図１３に示すように、光学部材３０において、第４の領域が形成された面と第５の領域が形成された面とは、所定の角度をなしている。また、第４の領域は、複数の第５のプリズム７２で構成されている。第５の領域は、複数の第６のプリズム７４で構成されている。
【００７９】
第６のプリズム７２および第７のプリズム７４は、第１のプリズム５０ａと同様、入射した光を屈折する。これにより、光学部材３０から出射される光は、図１３において右方向、すなわち、第１の反射板１０ｂが設けられていない側へ広範囲に光を出射する。これにより、光学部材３０は、第１の反射板１０ｂが設けられていない側へ広範囲に光を出射することができる。
【００８０】
図１４は、照明ユニット２を棚１００に取り付けた一例を示している。照明ユニット２を取り付けることにより、棚の奥側まで十分に光を照射することができる。なお、棚１００に取り付ける照明ユニットは照明ユニット２に限らず、照明ユニット３であってもよい。この場合であっても、照明ユニット２と同様、棚１００の奥側まで十分に光を照射することができる。
【００８１】
（実施の形態３）
次に、本発明の実施の形態３に係る照明ユニットについて、図１５を用いて説明する。図１５は、本発明の実施の形態３に係る照明ユニットの長尺方向と直交する平面で切断した場合の断面図である。
【００８２】
本実施の形態に係る照明ユニット４が実施の形態１に係る照明ユニット１と異なる点は、第２の反射板を備える点である。
【００８３】
図１５に示すように、照明ユニット４は、第２の反射板８０を備えている。第２の反射板８０は、例えば、取付本体１０と同様アルミニウム等の金属材料で構成され、取付本体１０と一体形成されている。第２の反射板８０は、ＬＥＤから出射した光のうち光軸に垂直な方向の光を、光学部材３０の方向に反射する。これにより、ＬＥＤから出射された光を効率よく光学部材３０に入射することができる。
【００８４】
第２の反射板８０において、光の反射面の形状は、第１の反射板１０ｂと同様、曲面状であってもよいし平面状であってもよい。また、曲面状の場合には、放物線状の曲面であってもよいし、曲率半径で定められる曲面であってもよい。
【００８５】
なお、第２の反射板８０は、取付本体１０と一体形成されていなくてもよいし、取付本体１０とは異なる材料で構成されてもよい。
【００８６】
（実施の形態４）
次に、本発明の実施の形態４に係る照明ユニットについて、図１６〜図１８Ｂを用いて説明する。図１６および図１７は、本実施の形態に係る照明ユニットの長尺方向と直交する平面で切断した場合の断面図である。
【００８７】
本実施の形態に係る照明ユニットが実施の形態１に係る照明ユニット１と異なる点は、光学部材３０が光の拡散効果を有している点である。
【００８８】
図１６に示す照明ユニット５は、光学部材３０の表面に、光拡散カバー９０を有している。光拡散カバー９０は、例えば、光学部材３０の表面に形成されたシボまたはディンプルであってもよいし、光拡散処理膜であってもよい。光学部材３０の表面にこのような処理を施すことにより、光学部材３０から出射された光は、グレアが抑制された均一な光になる。
【００８９】
図１８Ａは、拡散処理を行っていない照明ユニットによる照明光を示す図である。図１８Ｂは、拡散処理を行った照明ユニットによる照明光を示す図である。
【００９０】
図１８Ａに示すように、光学部材３０に拡散処理を行っていない場合には、光学部材３０から出射される光にはスジが見られ、光が不均一であることが分かる。一方で、図１８Ｂに示すように、光学部材３０に拡散処理を行った場合には、光学部材３０からは、全体的に均一な光が出射している。したがって、光学部材３０の表面に拡散処理をすることにより、光学部材３０から出射する光のグレアを抑制して、均一な光を得ることができる。
【００９１】
また、図１７に示す照明ユニット６では、光学部材１３０は、拡散剤入りの材料により形成されている。ここでいう拡散剤としては、例えば光拡散剤と呼ばれる微粒子が使用される。
【００９２】
このように、光学部材１３０が拡散剤入りの材料により形成されることで、光学部材１３０に形成された第１および第２の領域に形成されたプリズム１５０および第３の領域に形成されたプリズム１６０、及び、プリズム以外の部分で光を拡散して均一に照射することができる。したがって、光学部材１３０から出射する光のグレアを効率よく抑制して、均一な光を得ることができる。
【００９３】
（その他変形例）
以上、本発明に係る照明ユニットについて、実施の形態に基づいて説明したが、本発明は、上記実施の形態に限定されるものではない。
【００９４】
例えば、前述した実施の形態では、光学部材３０は、第１のプリズム５０ａを４つ、第２のプリズム５０ｂを１つ備えた構成としたが、第１のプリズム５０ａおよび第２のプリズム５０ｂの数はその他の数であってもよく、複数であっても単数であってもよい。
【００９５】
また、複数の第１のプリズム５０ａの全てを同一の形状としてもよいし、それぞれ異なる形状としてもよい。第２のプリズム５０ｂについても同様である。
【００９６】
また、第１のプリズム５０ａ及び第２のプリズム５０ｂの頂点は、先端が尖っていてもよいし、丸くてもよい。第１のプリズム５０ａ及び第２のプリズム５０ｂの頂点を丸く形成しなければならない場合であっても、当該頂点の曲率半径Ｒを可能な限り小さくすることが好ましい。
【００９７】
その他、各実施の形態及び変形例に対して当業者が思いつく各種変形を施して得られる形態や、本発明の趣旨を逸脱しない範囲で各実施の形態及び変形例における構成要素及び機能を任意に組み合わせることで実現される形態も本発明に含まれる。
【符号の説明】
【００９８】
１、２、３、４、５、６  照明ユニット
１０  取付本体
１０ａ  取付部
１０ｂ、１０ｃ、１０ｄ、１０ｅ  第１の反射板
２０  基板
３０、１３０  光学部材
４０  ＬＥＤ光源（光源）
５０ａ  第１のプリズム
５０ｂ  第２のプリズム
６０  第３のプリズム
７０ａ  第４のプリズム
７０ｂ  第５のプリズム
７２  第６のプリズム
７４  第７のプリズム
８０  第２の反射板
９０  光拡散カバー
１５０、１６０  プリズム
【図１】
2015109242.tif 000003
【図２】
2015109242.tif 000004
【図３】
2015109242.tif 000005
【図４Ａ】
2015109242.tif 000006
【図４Ｂ】
2015109242.tif 000007
【図５】
2015109242.tif 000008
【図６】
2015109242.tif 000009
【図７】
2015109242.tif 000010
【図８】
2015109242.tif 000011
【図９Ａ】
2015109242.tif 000012
【図９Ｂ】
2015109242.tif 000013
【図１０】
2015109242.tif 000014
【図１１Ａ】
2015109242.tif 000015
【図１１Ｂ】
2015109242.tif 000016
【図１１Ｃ】
2015109242.tif 000017
【図１１Ｄ】
2015109242.tif 000018
【図１１Ｅ】
2015109242.tif 000019
【図１２】
2015109242.tif 000020
【図１３】
2015109242.tif 000021
【図１４】
2015109242.tif 000022
【図１５】
2015109242.tif 000023
【図１６】
2015109242.tif 000024
【図１７】
2015109242.tif 000025
【図１８Ａ】
2015109242.tif 000026
【図１８Ｂ】
2015109242.tif 000027